(57)【要約】      （修正有）【課題】着脱の作業や掃除が容易となるサッシにおける開閉巻網戸を提供する。【解決手段】障子の装着部分よりも室内側の端部に網開閉式の開閉巻網戸を嵌着したサッシ窓枠において、開閉巻網戸は、それぞれ押出形材からなる左右縦框と上下框との枠組みで、そのうち、網巻側の網部縦框が室内側及び枠内側に開き形のほゞＬ字形の断面形状であって、巻取軸筒を軸支し内装した網収納ケーシングがこの網部縦框に着脱可能に内装され、網収納ケーシングが前面及び枠内側に蓋部材による開閉口のある同じくほゞＬ字形の断面形状であって、この網収納ケーシングから引き出される網の端に取り付けられるスライド取っ手は、前記上下框とスライドで係合し網引き込み側へは網部縦框の開き口へ排出可能になっており、この排出により網収納ケーシングは、巻取軸筒とそれに巻き取られた網及びスライド取っ手と一体に前記枠組みから分離して引き出し得るように構成してある。【選択図】図１
2011231463.tif 000002
【特許請求の範囲】
【請求項１】
障子の装着部分よりも室内側の端部に網開閉式の開閉巻網戸を嵌着したサッシ窓枠において、開閉巻網戸は、それぞれ押出形材からなる左右縦框と上下框との枠組みで、そのうち、網巻側の網部縦框が室内側及び枠内側に開き形のほゞＬ字形の断面形状であって、巻取軸筒を軸支し内装した網収納ケーシングがこの網部縦框に着脱可能に内装され、網収納ケーシングが前面及び枠内側に蓋部材による開閉口のある同じくほゞＬ字形の断面形状であって、この網収納ケーシングから引き出される網の端に取り付けられるスライド取っ手は、前記上下框とスライドーで係合し網引き込み側へは網部縦框の開き口へ排出可能になっており、この排出により網収納ケーシングは、巻取軸筒とそれに巻き取られた網及びスライド取っ手と一体に前記枠組みから分離して引き出し得るように構成してあることを特徴とするサッシにおける開閉巻網戸。
【請求項２】
建物躯体に対して外付けに取り付けられる窓枠であって、窓枠には、左右縦枠の後端部に障子の装着部分と開閉巻網戸の嵌着部との間に仕切壁が突設され、室内側の後端部に建物躯体に止める大ネジの頭部が納まる蟻溝を段差で低く形成してあり、開閉巻網戸の網部縦框が縦枠と仕切壁との間のコーナーに断面Ｌ字形の形状で丁度嵌まる形状であり、室内側の先端部に起き上がりよる係止片と突起とを設けることにより、その間を縦枠にねじ込む止ビスの頭部が納まる皿溝に形成し、網収納ケーシングに前記係止片に差し込まれる係合片が突設されていることを特徴とする請求項１記載のサッシにおける開閉巻網戸。
【請求項３】
網収納ケーシングは、Ｌ字形断面の形材の上下両端に端面盤を固着し、開閉口を開閉する蓋部材を軸支してなり、蓋部材の開閉構造については、室内側への後端にビスポケット形の支軸を形成し、蓋部材を断面Ｌ字形に形成するとともに、一端に支軸に嵌まる同じくビスポケット状の軸受部を形成したことを特徴とする請求項１または２記載のサッシにおける開閉巻網戸。
【発明の詳細な説明】
【技術分野】
【０００１】
この発明は、引違障子や辷出障子等の障子が納まる窓枠にその障子の装着部分よりも内側に開閉巻網戸が取り付けられる形式のサッシにおける開閉巻網戸に関する。
【背景技術】
【０００２】
アルミサッシにおいては、一般的に、引違障子が納まる位置の外側にスライド可能に網戸が装着される。しかし、網戸の取付けの安定性を確保する等の事情により室内側に網戸が設けられ場合もある。また、辷出障子は、一端をリンクで支持することにより外側へ開く構造であるので、その妨げにならないように、この場合網戸は必ず内側に取り付けられる。
【０００３】
また、網戸の構造については、全体的に網を張った網が固定した構造の軽量の障子式が一般的であるが、一端の縦框（又は縦枠）を網収納框となし、そこに巻取軸筒を設けて網を開閉式にした構造のものも従来使用される。このように巻取軸筒を縦框に内装した構造のものは、本出願人において従来から開発してきたものでもある（特許文献１及び特許文献２参照）。この構造の網戸を「開閉巻網戸」と本願では称することとする。
【０００４】
サッシにおけるこのような開閉巻網戸においては、網に塵埃や油成分（台所や飲食店で出る煙に由来する頑固な汚れ）が付着し通気性を阻害し不始末となることから、それを時々さっぱりと掃除する必要がある。そこで、網収納框には扉部材が軸支されており、また、それを開いて掃除しやすく巻取軸筒を取り外しできるようになっていた。
【先行技術文献】
【特許文献】
【０００５】
【特許文献１】特許第４０７３９３７号公報
【特許文献２】特開２００８−１５０４９１号公報
【発明の概要】
【発明が解決しようとする課題】
【０００６】
巻取軸筒を取り外すときには、網とその先端のスライド取っ手とを一組に取り外すことになるが、それらの組合せが乱雑となるため、従来は、巻取軸筒の着脱作業や掃除が困難であって手間がかかりその作業が容易ではなかった。
【０００７】
この発明は、上記のような実情に鑑みて、掃除をするときには、巻取軸筒をケースに納めたまま網やスライド取っ手とともに枠組みから分離して安定して取り外すことのできるため、着脱の作業や掃除が容易となるサッシにおける開閉巻網戸を提供することを課題とした。
【課題を解決するための手段】
【０００８】
上記の課題を解決するために、この発明は、障子の装着部分よりも室内側の端部に網開閉式の開閉巻網戸を嵌着したサッシ窓枠において、開閉巻網戸は、それぞれ押出形材からなる左右縦框と上下框との枠組みで、そのうち、網巻側の網部縦框が室内側及び枠内側に開き形のほゞＬ字形の断面形状であって、巻取軸筒を軸支し内装した網収納ケーシングがこの網部縦框に着脱可能に内装され、網収納ケーシングが前面及び枠内側に蓋部材による開閉口のある同じくほゞＬ字形の断面形状であって、この網収納ケーシングから引き出される網の端に取り付けられるスライド取っ手は、前記上下框とスライドで係合し網引き込み側へは網部縦框の開き口へ排出可能になっており、この排出により網収納ケーシングは、巻取軸筒とそれに巻き取られた網及びスライド取っ手と一体に前記枠組みから分離して引き出し得るように構成してあることを特徴とするサッシにおける開閉巻網戸を提供する。
【発明の効果】
【０００９】
以上説明したように、この発明のサッシにおける開閉巻網戸によれば、網の巻取軸筒は網収納ケーシングに納めた安定した状態で分離し、網やスライド取っ手と共に枠組みから分離して取り外すことができ、網収納ケーシングが蓋部材で広く開閉できる構造であるため、巻取軸筒を納めたまま、或いは取り外して、いずれの状態においても容易に掃除をすることができ、また、きつい汚れであると、業者が網収納ケーシングに納めたまま持ちかえって特別な掃除又は網の取り替え作業をなすのにも適する等、室内環境を合理的に保持するよう網清掃のメンテナンスを施す上に優れた効果がある。
【００１０】
請求項２及び３によれば、さらに上記効果が顕著となり、既存形状の窓枠にも安定して開閉巻網戸を取り付けることができ、また、網収納ケーシングの着脱も容易である。
【図面の簡単な説明】
【００１１】
【図１】この発明の一実施例を示すサッシにおける開閉巻網戸の平面から見た横断面図である。
【図２】同サッシにおける開閉巻網戸の縦断面図である。
【図３】同サッシにおける開閉巻網戸の要部を拡大し網収納ケーシングの取り外し状態を二点鎖線で示した横断面図である。
【図４】同サッシにおける開閉巻網戸の要部を板状キーとともに示すその上端部の斜視図である  。
【図５】同サッシにおける開閉巻網戸の要部の上端部を、網収納ケーシングの取り外し状態で示す斜視図である。
【図６】網部縦框に対する網収納ケーシングの取付け状態を示す図４のＡ−Ａ線矢視の断面図で、（イ）図は網収納ケーシングの組み付けロック状態の説明図であり、（ロ）図はロック解除状態を示す説明図である。
【発明を実施するための形態】
【００１２】
この発明においてサッシとは、主としてアルミ等の押出形材で組み立てられ、建物躯体の開口部に嵌めてネジ止めされる窓枠１と、それに内装される辷出障子や引違障子、開閉巻網戸３等の建具からなる全体をいうものとする。
【実施例１】
【００１３】
建物躯体に明けた開口部が木枠２で枠組みされており、その枠組みには、サッシ窓枠１がネジ止めすることによりその枠よりも突出するよう外付けに取り付けられ、大半が突出した部分でそこに図示しない辷出障子が装着される。開閉巻網戸３は辷出障子の装着部分５よりも室内側の端部に嵌着される。また、窓枠１は、先端部が外側へ反転して外壁７の外側に突っかかっている。この外付けのための取り付け強度を得るために、比較的大きなネジ８が用いられ、これによって室内側基部が木枠２に強固に固定される。
【００１４】
サッシ窓枠１は、それぞれ同一押出形材からなる左右縦枠９，９及び上下枠１０，１０とからなり、各枠の本体部分は板状体であってその後端部近くに周知の仕切壁１１が枠内へ突設され、仕切壁１１の位置が辷出障子の装着部分５と開閉巻網戸３の嵌着部分との境界となっている。また、室内側後端部は、前記大ネジ８により木枠２に止めるために溝形でリブ機能を備える形状に形成される。
【００１５】
この形状については、枠外側への段差１３を設けるととともに、段差１３で低くなった位置にさらに低く凹部となる蟻溝１５が設けられ、蟻溝１５にネジ８の頭部が納められる。また、蟻溝１５には、キャップ材１７が嵌着され、これが縦枠９とその内面で面一であるが、窓枠１の各隅角にＬ字形のコーナー化粧部材１９が被着されており、その厚みが面一よりも突出している。
【００１６】
開閉巻網戸３は、左右縦框２１，２２と、上下框２３，２３との枠組み構造であって、これには各隅角にプラスチックの連結部材１２，１２，・・が用いられる。この枠組みの中に網２０が開閉可能に張られ、スプリングの弾力に抗して一方の縦框２１側へ引き（磁石で自動的に止められる）、スプリングの弾力で他方の側へ巻き取られるように、網２０の端にスライド取っ手２６が取り付けられ、それが上下框２３，２３にスライダー２８，２８でスライド可能に係合している。また、網２０を巻き取る側の網部縦框２２には網収納ケーシング２５が着脱可能に組み込まれ、これには蓋部材２７が軸支される。この網収納ケーシング２５には巻取軸筒３０が内装され、これで網２０を巻き取って網収納ケーシング２５に収納される。
【００１７】
網部縦框２２は、縦枠９の板状部分と仕切壁１１との間に安定して丁度納まるＬ字形の形材であって、板状部分に当接する側の後端には傾斜した段差により板状から持ち上がる係止片２９が形成され、係止片２９とその近くに形成した突起３１との間が止ビス３３の頭部が納まる皿溝３５として形成される。また、Ｌ字形の隅角と、仕切壁１１に接合する部分の先端とにビスポケット３７，３８を設けてある。この網部縦框２２は、前記止ビス３３を縦枠９に螺入することにより固定される。
【００１８】
網部縦框２２の上下両端にある連結部材１２，１２は、縦框２２の端に嵌着される端面板１２ａと、上下框２３，２３に嵌入される挿入片１２ｂとが一体成形されたもので、端面板１２ａが前記ビスポケット３７，３８に螺入するビス３７ａ，３８ａにより網部縦框２２に固定される。また、挿入片１２ｂには逆止爪４１が突設されているので、これを上下框２３，２３に嵌入すると、離脱不能に結合される。
【００１９】
網部縦框２２においては、両端面板１２ａ，１２ａの間に網収納ケーシング２５が差し込まれる。それで網部縦框２２に組み込まれるが、このロック状態を保持するために、上下端面盤４３，４３には、抜孔４３を設けるとともに、抜孔４３に弾力で納まり得る逆止片４５が孔縁から突設される。このロック構造について詳しくは後記する。
【００２０】
網収納ケーシング２５は、縦框２２の内側に沿ってほゞＬ字形に形成された形材であるが、上下両端が端面盤４３，４３で封じられたもので、室内側の先端に蓋部材１７の支軸４５がビスポケット形に形成され、Ｌ字形の内角部と枠側先端にビスポケット４７，４８が設けられる。端面盤４３，４３は、それに螺入されるビス４７ａ，４８ａによりケーシング形材に止められる。また、側面には縦框２２の係止片２９の下に入るＬ字形の係合片５０が突設され、止ビス３３を外すと係止片２９を外しながら網収納ケーシング２５を取り外すことができる。網部縦框２２に対して網収納ケーシング２５は、係止片２９との結合の他、ビスポケット３８，４８との圧接結合によっても保持される。
【００２１】
蓋部材１７は、網収納ケーシング２５の開閉口を開閉するように断面Ｌ字形の形材であって、その一端に網部縦框２２の支軸４５に嵌まるビスポケット形の軸受部４６が形成される。
【００２２】
なお、上下端面盤４３，４３の間において巻取軸筒３０が図示しないコイルスプリングにより巻き方向に回転付勢されており、上部端面盤４３の中に巻取軸筒３０のコイルスプリングの弾発力を調整する装置が内蔵される。４９がドライバー操作可能なその調整摘みである。
【００２３】
網部縦框２２に網収納ケーシング２５を固定する前記したロック構造については、端面盤４３，４３の上面に、端面板１２ａ，１２ａの前記の逆止片４５，４５が落ち込むそれと同じ程度の溝幅の凹部４７を設けるとともに、それを室内側に開口する幅広い溝形に形成してある。そこで、網部縦框２２に網収納ケーシング２５を差し込むと、逆止片４５が一旦抜孔４３に入ってから復帰することで凹部４７の段差４７ａに引っ掛かりロック状態となる（図５，図６（イ））。しかし、板状キー５１を凹部４７に差し込むと、それが逆止片４５を持ち上げて段差４７ａでの逆止片４５の引っ掛かりが外れるから、ロック状態が解除され（図６（ロ））、これで網収納ケーシング２５を取り外すことができる（図６）。
【００２４】
図３は、網収納ケーシング２５の組み付け状態を実線で、取り外した状態を二点鎖線で示したもので、スライド取っ手２６は、スライダー２８，２８が連結部材１２，１２の挿入片１２ｂ，１２ｂの下を通り抜け、網部縦框２２からも外れ、網収納ケーシング２５にコンパクトに並列になり、これで網２０やスライド取っ手２６が集合する。
【００２５】
なお、窓枠１について、前記した仕切壁１１は、左右縦枠９，９と上下枠１０，１０に突設されるが、下枠１０については、開閉巻網戸３を受ける逆Ｌ字形の受部片１４が突設される。そして、受部片１４には、辷出障子を開閉するハンドル５０が取り付けられる。
【符号の説明】
【００２６】
１  サッシ窓枠
３  開閉巻網戸
５  障子の装着部分
８  大ネジ
９，９  左右縦枠
１０，１０  上下枠
１１  仕切壁
１５  蟻溝
２０  網
２１  縦框
２２  網部縦框
２３，２３  上下框
２５  網収納ケーシング
２６  スライド取っ手
２８  スライダー
２９  係止片
３０  巻取軸筒
３１  突起
３３  止ビス
３５  皿溝
４３  端面盤
４５  支軸
４６  軸受部
５０  係合片
【図１】
2011231463.tif 000003
【図２】
2011231463.tif 000004
【図３】
2011231463.tif 000005
【図４】
2011231463.tif 000006
【図５】
2011231463.tif 000007
【図６】
2011231463.tif 000008
【手続補正書】
【提出日】平成22年5月21日(2010.5.21)
【手続補正１】
【補正対象書類名】明細書
【補正対象項目名】０００５
【補正方法】変更
【補正の内容】
【０００５】
【特許文献１】特許第４０７３９３７号公報
【特許文献２】特開２００８−１５０９４１号公報